(57)【要約】【課題】指小球領域を支えるための緩衝パッドを提供する。【解決手段】靴の中で靴の着用者の足の下に置かれるように構成された、人の足の指小球領域用のパッドは、かかとから足指の方向（Ｘ軸）の寸法、外側から内側の方向（Ｙ軸）の寸法、および下から上の方向（Ｚ軸）の寸法を有し、前側表面および裏側表面を含む。このパッドは、少なくとも２つの異なるゾーン、すなわちＸ軸上で足指方向に向かって位置しており、少なくとも３本の隣接する足指、特に人の足の５本の足指すべて、に関連する指小球領域を支えるように構成された、少なくとも１つの第１のゾーン、およびＸ軸上でかかと方向に向かって位置する、少なくとも１つの隣接する第２のゾーンを含み、第１のゾーンは、第２のゾーンの平均厚さよりも大きな平均厚さを有し、第２のゾーンは、Ｚ寸法において足指からかかとの方向に先細となり、第１および第２のゾーンはエラストマー材料を含む。【選択図】図５
2009539441.tif 000002
【特許請求の範囲】
【請求項１】
靴の中で前記靴の着用者の足の下に置かれるように構成された、人の足の指小球領域用のパッド（１）であって、かかとから足指の方向（Ｘ軸）の寸法、外側から内側の方向（Ｙ軸）の寸法、および下から上の方向（Ｚ軸）の寸法を有し、かつ前側表面（３３）、および裏側表面（３５）を含む、パッド（１）において、
前記パッド（１）は、少なくとも２つの異なるゾーン、すなわち前記Ｘ軸上で足指方向に向かって位置しており、少なくとも３本の隣接する足指、特に人の足の５本の足指すべて、に関連する前記指小球領域を支えるように構成された、少なくとも１つの第１のゾーン（３）、および前記Ｘ軸上でかかと方向に向かって位置する、前記第１のゾーン（３）に隣接した少なくとも１つの第２のゾーン（５）を含み、
前記第１のゾーン（３）は、前記第２のゾーン（５）の平均厚さよりも大きな平均厚さを有し、
前記第２のゾーン（５）は、Ｚ寸法において足指からかかとの方向に先細となっており、
前記第１および第２のゾーン（３、５）は、エラストマー材料を含む、パッド。
【請求項２】
靴の中で前記靴の着用者の足の下に置かれるように構成された、人の足の指小球領域用のパッド（１）であって、かかとから足指の方向（Ｘ軸）の寸法、外側から内側の方向（Ｙ軸）の寸法、および下から上の方向（Ｚ軸）の寸法を有し、かつ前側表面（３３）、および裏側表面（３５）を含む、パッド（１）において、
前記パッド（１）は、少なくとも２つの異なるゾーン、すなわち前記Ｘ軸上で足指方向に向かって位置しており、少なくとも３本の隣接する足指、特に人の足の５本の足指すべて、に関連する前記指小球領域を支えるように構成された、少なくとも１つの第１のゾーン（３）、および前記Ｘ軸上でかかと方向に向かって位置する、少なくとも１つの第２のゾーン（５）を含み、
前記第１のゾーン（３）の前記前側表面（３３）は、前記着用者の前記足をマッサージするように構成された突起要素（７）のパターンを示し、
前記第１および第２のゾーン（３、５）は、エラストマー材料を含む、パッド。
【請求項３】
靴の中で前記靴の着用者の足の下に置かれるように構成された、人の足の指小球領域用のパッド（１）であって、かかとから足指の方向（Ｘ軸）の寸法、外側から内側の方向（Ｙ軸）の寸法、および下から上の方向（Ｚ軸）の寸法を有し、かつ前側表面（３３）、および裏側表面（３５）を含む、パッド（１）において、
前記パッド（１）は、少なくとも２つの異なるゾーン、すなわち前記Ｘ軸上で足指方向に向かって位置しており、少なくとも３本の隣接する足指、特に人の足の５本の足指すべて、に関連する前記指小球領域を支えるように構成された、少なくとも１つの第１のゾーン（３）、および前記Ｘ軸上でかかと方向に向かって位置する、少なくとも１つの隣接する第２のゾーン（５）を含み、
前記第１のゾーン（３）は、前記第２のゾーン（５）の平均厚さよりも大きな平均厚さを有し、
前記第２のゾーン（５）は、Ｚ寸法において足指からかかとの方向に先細となり、
前記第１のゾーン（３）の前記前側表面（３３）は、前記着用者の前記足をマッサージするように構成された突起要素（７）のパターンを示し、
前記第１および第２のゾーン（３、５）は、エラストマー材料を含む、パッド。
【請求項４】
靴の中で前記靴の着用者の足の下に置かれるように構成された、人の足のかかと領域用のパッド（１）であって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッド（１）において、
前記パッドは、少なくとも２つの異なるゾーン、すなわち前記Ｘ軸上でかかと方向に向かって位置しており、人の足の前記かかと領域を支えるように構成された、少なくとも１つの第１のゾーン、および前記Ｘ軸上で足指方向に向かって位置する、少なくとも１つの隣接する第２のゾーンを含み、
前記第１のゾーンの前記前側表面は、前記着用者の前記足をマッサージするように構成された突起要素のパターンを示し、
前記第１および第２のゾーンは、エラストマー材料を含む、パッド。
【請求項５】
靴の中で前記靴の着用者の足の下に置かれるように構成された、人の足のかかと領域用のパッドであって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッドにおいて、
前記パッドは、少なくとも２つの異なるゾーン、すなわち前記Ｘ軸上でかかと方向に向かって位置しており、人の足の前記かかと領域を支えるように構成された、少なくとも１つの第１のゾーン、および前記Ｘ軸上で足指方向に向かって位置する、少なくとも１つの隣接する第２のゾーンを含み、
前記第１のゾーンは、前記第２のゾーンの平均厚さよりも大きな平均厚さを有し、
前記第２のゾーンは、Ｚ寸法においてかかとから足指の方向に先細となり、
前記第１および第２のゾーンは、エラストマー材料を含む、パッド。
【請求項６】
靴の中で前記靴の着用者の足の下に置かれるように構成された、人の足のかかと領域用のパッドであって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッドにおいて、
前記パッドは、少なくとも２つの異なるゾーン、すなわち前記Ｘ軸上でかかと方向に向かって位置しており、人の足の前記かかと領域を支えるように構成された、少なくとも１つの第１のゾーン、および前記Ｘ軸上で足指方向に向かって位置する、少なくとも１つの隣接する第２のゾーンを含み、
前記第１のゾーンは、前記第２のゾーンの平均厚さよりも大きな平均厚さを有し、
前記第２のゾーンは、Ｚ寸法においてかかとから足指の方向に先細となり、
前記第１のゾーンの前記前側表面は、前記着用者の前記足をマッサージするように構成された突起要素のパターンを示し、
前記第１および第２のゾーンは、エラストマー材料を含む、パッド。
【請求項７】
請求項１〜６のいずれか１項に記載のパッド（１）において、
前記突起要素のパターンは、多数の隣接する隆起部（７）を含む、パッド。
【請求項８】
請求項７に記載のパッド（１）において、
少なくとも２つの隣接する隆起部（７）が、特に前記Ｙ軸に沿って内側から外側に方向付けられた、波状の形態をＸ‐Ｙ平面において有する、パッド。
【請求項９】
請求項７または８に記載のパッド（１）において、
本質的にすべての隆起部（７）が、均一に、特に本質的に平行に、方向付けられている、パッド。
【請求項１０】
請求項７〜９のいずれか１項に記載のパッド（１）において、
少なくとも１つの波状隆起部（７）、特に隣接する２つの波状隆起部（７）が、隣接する３つの波の谷（３１）を示す、パッド。
【請求項１１】
請求項１〜１０のいずれか１項に記載のパッド（１）において、
前記パッドは、前記第１のゾーン（３）、および前記第２のゾーン（５）から本質的に成る、パッド。
【請求項１２】
請求項１〜１１のいずれか１項に記載のパッド（１）において、
前記前記第１のゾーン（３）の裏側表面（３５’）、および／もしくは前記第２のゾーンの裏側表面（３５”）は、本質的に平坦である、パッド。
【請求項１３】
請求項１〜１２のいずれか１項に記載のパッド（１）において、
前記第２のゾーン（５）の前側表面（３３”）は、本質的に平坦である、パッド。
【請求項１４】
請求項１〜１３のいずれか１項に記載のパッド（１）において、
前記第１および第２のゾーン（３、５）、特に前記パッド（１）は、１つの部品に作られる、パッド。
【請求項１５】
請求項１〜１４のいずれか１項に記載のパッド（１）において、
前記第１のゾーン（３）の前記裏側表面（３５’）は、突起要素（７）のパターンを備えている、パッド。
【請求項１６】
請求項１〜１５のいずれか１項に記載のパッド（１）において、
前記第１のゾーン（３）は、均一な平均厚さを示す、パッド。
【請求項１７】
請求項１〜１６のいずれか１項に記載のパッド（１）において、
特に周辺の、リム部分（１５）、
をさらに含む、パッド。
【請求項１８】
請求項１７に記載のパッド（１）において、
前記リム（１５）は、熱可塑性材料、もしくはエラストマー材料を含む、パッド。
【請求項１９】
請求項１７または１８に記載のパッド（１）において、
前記リム（１５）は、その周縁（３７）に向かって先細となっている、パッド。
【請求項２０】
請求項１〜１９のいずれか１項に記載のパッド（１）において、
前記エラストマー材料は、天然ゴム、もしくは合成ゴム、または熱可塑性エラストマー（ＴＰＥ）である、パッド。
【請求項２１】
請求項１〜２０のいずれか１項に記載のパッド（１）において、
特に前記第１のゾーン（３）において、孔（１３）のパターン、
をさらに含む、パッド。
【請求項２２】
請求項２１に記載のパッド（１）において、
前記孔（１３）は、０．５〜３．０ｍｍの範囲の直径を有する、パッド。
【請求項２３】
請求項２１または２２に記載のパッド（１）において、
少なくとも２つの孔（１３）が、隆起部（７）の波の谷（３１）の領域に位置する、パッド。
【請求項２４】
請求項１〜２３のいずれか１項に記載のパッド（１）において、
前記第２のゾーン（５）は、前記Ｙ軸上で前記足指からかかとの方向に非対称的に先細となっている、パッド。
【請求項２５】
請求項１〜２４のいずれか１項に記載のパッド（１）において、
前記第１のゾーン（３）の外側部分（２３）は、前記第１のゾーン（３）の内側部分（２５）よりも、Ｘ寸法において前記かかと方向に、より延びており、かつ／または、
前記第２のゾーン（５）の内側部分（２７）は、前記第２のゾーン（５）の外側部分（２９）よりも、前記Ｘ寸法において前記足指方向に、より延びている、パッド。
【請求項２６】
請求項１〜２５のいずれか１項に記載のパッド（１）において、
少なくとも１つの隆起部（７）が、着用者の前記足の前記足指の方を向いている第１の側壁、および着用者の前記足の前記かかとの方を向いている、前記隆起部（７）の頂点に隣接する第２の側壁を有し、
前記第１の側壁の平均勾配は、前記隆起部の前記第２の側壁の平均勾配よりも小さい、パッド。
【請求項２７】
中底において、
請求項１〜３、および請求項１〜３のいずれか１項を参照する請求項７〜２６の範囲で請求項７〜２６、に記載のパッド、ならびに／または、
請求項４〜６、および請求項４〜６のいずれか１項を参照する請求項７〜２６の範囲で請求項７〜２６、に記載のパッド、
を含む、中底。
【請求項２８】
請求項２７に記載の中底において、
前記中底は、１つの部品に作られる、中底。
【請求項２９】
請求項２７または２８に記載の中底を製造する方法において、
２Ｋ射出成形プロセスにより前記中底を準備するステップ、
を含む、方法。
【請求項３０】
靴において、
請求項１〜３、および請求項１〜３を参照する範囲で請求項７〜２６、に記載のパッド、ならびに／または、
請求項４〜６、および請求項４〜６を参照する範囲で請求項７〜２６、に記載のパッド、または、
請求項２７もしくは２８に記載の中底、
を含む、靴。
【請求項３１】
請求項３０に記載の靴において、
前記靴は、ハイヒールの靴、または登山靴である、靴。
【請求項３２】
パッドを使用することにおいて、
靴の中に置くための、請求項１〜２６のいずれか１項に記載のパッドを使用すること。
【請求項３３】
パッドを使用することにおいて、
ハイヒールの靴、もしくは登山靴に、請求項１〜２６のいずれか１項に記載のパッドを使用すること。
【請求項３４】
パッドを使用することにおいて、
中底もしくは靴を準備するために、請求項１〜２６のいずれか１項に記載のパッドを使用すること。
【発明の詳細な説明】
【開示の内容】
【０００１】
本発明は、靴の中で靴の着用者の足の下に置かれるように構成された、人の足のかかと領域を支えるためのパッドに加えて、指小球領域（ball regions）を支えるための緩衝パッドに関する。本発明は、本発明のパッドを含む、中底および靴にさらに関する。さらに、本発明は、本発明による中底を準備する方法に関する。
【０００２】
靴の中底は、快適さを改善するため、もしくは着用者の足の解剖学的構造に靴をより密接に適応させるために、しばしば用いられる。申し分なく設計された中底は、歩いているか、もしくは走っている間に、衝撃をより一様に分配するのに適しており、もはや足の特定のエリアのみが圧力を受ける必要がなくなる。このような中底は、緩衝効果を有するだけでなく、一歩一歩進む間に足を最適化された形態（optimized configuration）に導く。しかしながら、中底、特に着用者の足の解剖学的構造に適応した中底は、簡単に入手することができず、個別に製造されなければならない。また、中底は、そのサイズのために、ほとんどの場合、着用者の特定の靴にはまるにすぎず、他の靴と共に使用することができない。
【０００３】
ドイツ実用新案第８５１２４９０  Ｕ１号によると、優れた緩衝特性を有し、かつ高い快適さを提供する中底は、４０％のゆがみで少なくとも０．０３Ｎ／ｍｍ２の圧力抵抗を有する発泡材料の可撓性下層と、４０％のゆがみで、下層の圧力抵抗よりも小さな圧力抵抗を有する発泡材料で作られた可撓性中間層と、織物から作られた上層と、を含まなくてはならない。下層は、０．２４ｇ／ｃｍ３の密度を有する開放気泡スチレン‐ブタジエンラテックス（open-cell styrene-butadiene latex）から作られることができるのに対し、中間層は、０．１９ｇ／ｃｍ３の密度を有する開放気泡スチレン‐ブタジエンラテックスから作られる。
【０００４】
衝撃（shocks）および衝撃圧力（impulsive stresses）に最もさらされる足の領域が、かかとおよび指小球領域であることを考慮して、特異的に設計された中底により足全体にわたって圧力を均一に分配するために労力が費やされてきた。例えば、国際公開第２００５／０８９５８０  Ａ１号では、中足骨領域で使用者の足と相互作用するための前部と、かかと領域にわたって足と相互作用するための後部と、を有する、複合型な履物の中底であって、少なくとも後部は、平面サイズ（plane size）が後部の平面サイズと少なくともほぼ等しい、ゲル材料の少なくとも１つの層を有する、中底が記載されている。一実施形態では、中底の前部および後部は、ゲルインサートを備えていてよい。これらのゲルインサートは、中底に埋め込まれてよく、不連続性のない、ほぼ連続した上面が得られるようになっている。
【０００５】
欧州特許第１１６６６７１  Ｂ１号は、かかと領域のためのゲルクッションに加えて、かかと領域のための安定化要素を利用する、中底に関するものである。この中底はまた、かかと領域に凹部を提供しており、この凹部に、ゲルクッションが体にぴったり合うように挿入されうる。親指の領域、および指小球領域にも、さらなるゲルクッションが挿入されてよい。
【０００６】
しかしながら、中底は、ハイヒール、もしくは幾分狭い幅を有する他の靴など、いずれかのタイプの靴と組み合わせて着用されるのには適していない。このような場合、例えばかかと領域もしくは指小球領域用の、パッドが、中底よりもしばしば好まれる。
【０００７】
ドイツ特許第１０１１７９８１  Ａ１号では、異なる剛性の２つもしくは３つの層を含まなければならない、ハイヒールで用いるための、多層ゲルパッドが開示されている。層の剛性は、上部から下部へと増大している。指小球領域では、パッドの厚さは約１ｃｍでなければならないのに対し、足指の領域ではパッドの厚さは約２〜３ｍｍである。ドイツ特許第１０１１７９８１  Ａ１号によるパッドの表面は、いわゆる「４方向に伸長する（4-way-stretch）」カバーを備えていなくてはならない。
【０００８】
欧州特許第３２７９３０  Ｂ１号は、中足骨の頭部に対する外傷を低減するための、人の足用の中足骨パッドに関するものである。このパッドは、前面の縁の中間部で凸状に湾曲し、かつ、その前面の縁の少なくとも１つの側部において凹状に湾曲していなければならない。欧州特許第３２７９３０  Ｂ１号は、パッドが実質的に圧縮できない材料で作られ、かつ靴の中で、中足骨の頭部の位置のすぐ後ろ、すなわち指小球領域の後ろに置かれることを必要としている。このように、圧力は、はるかに大きなエリアにわたって均等に分配されることができ、これにより、中足骨の頭部にかかる体重負荷が効果的に減少する。しかしながら、幾分制限された範囲の靴のデザインのみが、このようなインサートを中足骨頭部の位置の後ろに置くことを可能にする。
【０００９】
前記を考慮して、先行技術のパッドおよび中底システムの欠点を呈しないパッドを備えることが望ましい。
【００１０】
ゆえに、パッドおよび中底であって、長い間繰り返して使用した際も足の指小球領域に対する十分な緩衝作用を保証し、ほとんどすべてのタイプの靴に適する、パッドおよび中底を提供することが、本発明の目的である。
【００１１】
パッドおよび中底であって、使用中に靴の中の所定の場所にとどまり、着用するのに不連続である（discrete to wear）、パッドおよび中底を提供することが、本発明のさらなる目的である。
【００１２】
緩衝パッドおよび中底であって、指小球領域を支えるために、特にハイヒールの靴において、着用されたときに高い快適さおよび優れた保護を示し、さらに足が抜ける（slip through）ことを防ぐ、緩衝パッドおよび中底を提供することが、本発明のさらなる目的である。
【００１３】
本発明の根底にある問題は、靴の中で靴の着用者の足の下に置かれるように構成された、人の足の指小球領域用のパッドであって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッドにより解決される。このパッドは、少なくとも２つの異なるゾーン、すなわち、Ｘ軸上で足指方向に向かって位置しており、少なくとも３本の隣接する足指、特に人の足の５本の足指すべて、に関連する指小球領域を支えるように構成された、少なくとも１つの第１のゾーン、および、Ｘ軸上でかかと方向に向かって位置する、第１のゾーンに隣接した少なくとも１つの第２のゾーンを含み、第１のゾーンは、第２のゾーンの平均厚さよりも大きな平均厚さを有し、第２のゾーンは、Ｚ寸法において足指からかかとの方向に先細となっており、第１および第２のゾーンは、エラストマー材料を含む。
【００１４】
さらに、本発明の根底にある問題は、靴の中で靴の着用者の足の下に置かれるように構成された、人の足の指小球領域用のパッドであって、かかとから足指の方向（Ｘ軸）の寸法、外側から内側の方向（Ｙ軸）の寸法、および、下から上の方向（Ｚ軸）の寸法を有し、かつ前側表面、および裏側表面を含む、パッドにより解決される。このパッドは、少なくとも２つの異なるゾーン、すなわち、Ｘ軸上で足指方向に向かって位置しており、少なくとも３本の隣接する足指、特に人の足の５本の足指すべて、に関連する指小球領域を支えるように構成された、少なくとも１つの第１のゾーン、およびＸ軸上でかかと方向に向かって位置する、少なくとも１つの第２のゾーンを含み、第１のゾーンの前側表面は、着用者の足をマッサージするように構成された突起要素のパターンを示しており、第１および第２のゾーンは、エラストマー材料を含む。
【００１５】
さらに、本発明の根底にある問題は、靴の中で靴の着用者の足の下に置かれるように構成された、人の足の指小球領域用のパッドであって、かかとから足指の方向（Ｘ軸）の寸法、外側から内側の方向（Ｙ軸）の寸法、および、下から上の方向（Ｚ軸）の寸法を有し、かつ前側表面、および裏側表面を含む、パッドにより解決される。このパッドは、少なくとも２つの異なるゾーン、すなわち、Ｘ軸上で足指方向に向かって位置しており、少なくとも３本の隣接する足指、特に人の足の５本の足指すべて、に関連する指小球領域を支えるように構成された、少なくとも１つの第１のゾーン、および、Ｘ軸上でかかと方向に向かって位置する、少なくとも１つの隣接する第２のゾーンを含み、第１のゾーンは、第２のゾーンの平均厚さよりも大きな平均厚さを有し、第２のゾーンは、Ｚ寸法において足指からかかとの方向に先細となっており、第１のゾーンの前側表面は、着用者の足をマッサージするように構成された突起要素のパターンを示しており、第１および第２のゾーンは、エラストマー材料を含む。
【００１６】
足の指小球領域が、エラストマー材料で作られた幾分柔らかな緩衝パッドを経験すると、また、パッドが、足指からかかとの方向に指小球領域を支えるゾーンの次のエリアに、Ｚ寸法において先細となったゾーンをもたらすと、パッドが着用者の靴の中に置かれている場合に、非常にリラックスし、かつ安定する効果が足で観察されることが分かっている。これは、ハイヒールの靴について特に当てはまる。指小球領域を支える第１のゾーンが多くの突起要素を備えている場合に、同じ効果が生じる。緩衝効果を高めることに加えて、突起要素のこのパターンは、着用者が歩いているか、もしくは立っている間に指小球領域をマッサージし、靴の中で足の位置を安定させるのにも役立つ。好ましくは、突起要素は、本発明によるこのようなパッドの第１のゾーンの前側表面にのみ設けられ、Ｚ寸法において足指からかかとの方向に先細となる第２のゾーンに、平坦な前側表面を残す。突起要素の、基部から頂部への寸法は、好ましくは、０．５ｍｍ〜３ｍｍ、特に０．７５ｍｍ〜２．５ｍｍ、最も好ましくは１．０ｍｍ〜２．０ｍｍの範囲である。
【００１７】
足の指小球領域用のパッドは、第１のゾーンが指小球領域の少なくとも一部、好ましくは本質的に指小球領域全体を支え、かつ第２のゾーンがかかとの方向に指小球領域に隣接して配列されるように、靴の中に置かれるのが好ましい。特定の足指に関連した１つの指小球領域ごとに別個の第１の領域を設けることが可能である。また、第１のゾーンは、２つ、３つ、もしくは４つの隣接する指小球領域のために設けられてもよい。好ましくは、本発明による指小球領域用のパッドは、第１のゾーンを備え、この第１のゾーンは、すべての足指に関連する指小球領域を支える。第２のゾーンが第１のゾーンに直接隣接し、これにより、足指からかかとの方向にかなりの寸法を有する別のゾーンにより妨げられなくなることもまた、好ましい。その結果、第２のゾーンは、たいてい、足指に関連する指小球領域に対するさらなる直接的な支持を直接もたらさない。
【００１８】
さらに、かかとから足指の方向（Ｘ軸）の寸法、外側から内側の方向（Ｙ軸）の寸法、および下から上の方向（Ｚ軸）の寸法を有し、かつ前側表面、および裏側表面を含む、靴の中で靴の着用者の足の下に置かれるように構成された、人の足のかかと領域用のパッドを用いることによって、足のかかと領域について同様の効果が達成されうることが分かっている。このパッドは、少なくとも２つの異なるゾーン、すなわち、Ｘ軸上でかかと方向に向かって位置しており、人の足のかかと領域を支えるように構成された、少なくとも１つの第１のゾーン、およびＸ軸上で足指方向に向かって位置する、少なくとも１つの隣接する第２のゾーンを含み、第１のゾーンの前側表面は、着用者の足をマッサージするように構成された突起要素のパターンを示しており、第１および第２のゾーンは、エラストマー材料を含む。
【００１９】
足のかかと領域に関して、本発明の根底にある問題は、靴の中で靴の着用者の足の下に置かれるように構成された、人の足用のパッドであって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッドによって解決されることもできる。このパッドは、少なくとも２つの異なるゾーン、すなわち、Ｘ軸上でかかと方向に向かって位置しており、人の足のかかと領域を支えるように構成された、少なくとも１つの第１のゾーン、およびＸ軸上で足指方向に向かって位置する、少なくとも１つの隣接する第２のゾーンを含み、第１のゾーンは、第２のゾーンの平均厚さよりも大きな平均厚さを有し、第２のゾーンは、Ｚ寸法においてかかとから足指の方向に先細となっており、第１および第２のゾーンは、エラストマー材料を含む。
【００２０】
さらに、足のかかと領域に関する問題は、靴の中で靴の着用者の足の下に置かれるように構成された、人の足用のパッドであって、かかとから足指の方向（Ｘ軸）の寸法、外側から内側の方向（Ｙ軸）の寸法、および下から上の方向（Ｚ軸）の寸法を有し、かつ前側表面および裏側表面を含む、パッドによって解決されることもできる。このパッドは、少なくとも２つの異なるゾーン、すなわち、Ｘ軸上でかかと方向に向かって位置しており、人の足のかかと領域を支えるように構成された、少なくとも１つの第１のゾーン、およびＸ軸上で足指方向に向かって位置する、少なくとも１つの隣接する第２のゾーンを含み、第１のゾーンは、第２のゾーンの平均厚さよりも大きな平均厚さを有し、第２のゾーンは、Ｚ寸法においてかかとから足指の方向に先細となっており、第１のゾーンの前側表面は、着用者の足をマッサージするように構成された突起要素のパターンを示しており、第１および第２のゾーンは、エラストマー材料を含む。
【００２１】
かかと領域用のパッドに関して、主軸がかかとから足指の方向に本質的に平行な状態で、パッドの第１のゾーンが本質的に円形もしくは本質的に長円形の形状を有することが好ましい。かかと領域におけるこの第１のゾーンは、２つの側縁に向かって、かつ／もしくは後縁に向かって、特にエラストマーの、リム部分により囲まれていてよい。かかと領域用のパッドの後部全体が、前述したような第１のゾーンの特性を呈することも可能である。
【００２２】
前記の説明、ならびに以下の解説から明らかとなるように、指小球領域用のパッドの第１のゾーンは、足指の方を向いており、ゆえに、かかとから足指の方向において第２のゾーンの前に位置付けられているのに対し、かかと用のパッドのための第１のゾーンは、足の後部により接近しており、ゆえに、靴の中に置かれた際に足指からかかとの方向においてパッドの第２のゾーンの後ろに位置する。明確にするために、かかと領域用のパッドの第１のゾーンは、第３のゾーンとして指定されてもよく、かかと領域用のパッドの第２のゾーンは、第４のゾーンとして指定されてもよい。
【００２３】
本発明による前述のパッドは、ウォーキングシューズ、ランニングシューズ、登山靴、もしくは登山用ブーツなど、あらゆるタイプの靴と共に用いられうる。本発明によるパッド、特に足の指小球領域用のパッドは、ハイヒールの靴に効果的に用いられることができる。これらのパッドは、着用の快適さを楽にするにすぎないが、また、抜ける（slipping through）リスクを確実に減少させる。
【００２４】
本発明による別の実施形態では、下部領域用のパッドに関して、足指からかかとの方向におけるパッドの先細りが、もはや第２のゾーンだけに限定されず、それまでに第１のゾーンの後部にとどまることが可能である。この後部とは、靴の中に置かれたときに、第１のゾーンの前部よりも、かかとから足指の方向において足指からさらに離れている、第１のゾーンの部分である。この実施形態の、第２のゾーンの方向における第１のゾーンの後ろのこの先細りは、好ましくは第１のゾーンの後半部（back half）、より好ましくは第１のゾーンの最後の第３の部分にある。足裏領域（borer regions）用のパッドの第１のゾーンの後部のこの先細りは、第１のゾーンの全幅にわたるものであってもよく、あるいは、第１のゾーンの幅の一部にわたるのみであってもよい。同様に、本発明による別の実施形態では、かかと領域用のパッドの第１のゾーンも、このパッドの第２のゾーンに隣接した部分で先細になっていてもよく、この部分は、先細でない部分よりも、このパッドの後縁からさらに離れている。第１のゾーンの、前述した先細部分は、最も好ましくは、本明細書で説明されるような突起要素のパターンを示す。
【００２５】
また本発明による別の実施形態では、第２のゾーンが第１のゾーンの全幅にわたって第１のゾーンに取り付けられるのが好ましいが、第１のゾーンが第２のゾーンに結合されずに少なくとも部分的に終端をなすように、第２のゾーンが第１のゾーンへの接合部における小さな幅、および第１のゾーンの幅を有することも可能であることが分かっている。言い換えれば、この実施形態について、第２のゾーンの一部が切除されている。好ましくは、この実施形態について、第２のゾーンの残りの部分は、第１のゾーンの外側部分を形成している、第１のゾーンの部分に連結される。この実施形態について、第２のゾーンは、靴の中の寸法に応じてパッドを置く場合、そして一方、靴からパッドを除去する場合に、取扱い補助具（handling aid）として特に有用である。
【００２６】
好適な実施形態では、突起要素のパターンは、多数の隣接する隆起部、すなわち少なくとも２つの隣接する隆起部、好ましくは少なくとも３つの隣接する隆起部、を含む。当然、マッサージおよび安定化効果が達成される限り、突起要素のあらゆる他のパターンが選択されてもよい。突起要素のパターンは、形状が規則的でも不規則であってもよく、立方形、半球体、もしくは角錐などの幾何学的形態を含むことができる。好ましくは、突起要素は、Ｙ寸法に本質的に平行に少なくとも部分的に方向付けられ、かつ／または、Ｙ寸法に対して本質的に傾斜して少なくとも部分的に方向付けられる。
【００２７】
本発明は、特にＹ軸に沿って内側から外側へ方向付けられた、Ｘ‐Ｙ平面に波状の形態を有する、少なくとも２つの隣接する隆起部を提供することが好ましい。Ｘ‐Ｙ平面は、平坦な水平面にある場合にパッドにより形成される前記の平面であり、すなわち、この平坦な面は、Ｘ‐Ｙ平面に本質的に平行である。本質的にすべての隆起部が均一に、特に本質的に平行に、方向付けられていると、特に好ましい。
【００２８】
一般的に、隆起部が波状パターンを示す場合、隆起部のサイズは、幾分大きな範囲内で選択されてよい。例えば、パッドを横切る波パターンであって、例えば外側から内側の方向のＹ寸法において、パッドを横切る波パターンは、ちょうど２つの波の頂点、および１つの中間の波の谷を有しうるか、または、２つの波の谷、および１つの中間の波の頂点を有しうる。このような波パターンは、中間の波の谷を備えた最大１０個の波の頂点、もしくは中間の波の頂点を備えた最大１０個の波の谷を含むこともできる。最も好ましくは、少なくとも１つの波状隆起部、特に隣接する２つの波状隆起部が、隣接する３つの波の谷を示す。
【００２９】
一般的に、本発明のパッドは、第１および第２のゾーンで構成される。一実施形態では、本発明によるパッドは、１つだけの第１のゾーン、および１つだけの第２のゾーンから本質的に成ることができる。別の実施形態では、本発明によるパッドは、特に周辺の、リム部分をさらに含むことができる。このリム部分は、隣接する第１もしくは第２のゾーンの独特の表面特徴部を備えてもよく、または単独で特定の表面パターンを備えてもよい。リムの厚さが、少なくともリム部分が第１もしくは第２のゾーンに接する所で、第１もしくは第２のゾーンの隣接する部分の厚さに本質的に対応するように、リムの厚さ、すなわちＺ寸法におけるリムの伸長部分を適応させることが有利であることが分かっている。好ましくは、リムは、例えば丸みを帯びるように、もしくはまっすぐな傾斜部を用いることにより、リムの周縁に向かって先細となる。
【００３０】
先細となっている第２のゾーンは、第２のゾーンが第１のゾーンに連結されるエリアで、第１のゾーンと本質的に同じ厚さを有するのが好ましい。第１のゾーンと第２のゾーンとの間の境界線は、本発明の一実施形態では、わずかに突出したリムもしくは壁を含むことができ、または、最初の先細効果は別として、触覚による方法で知覚可能でなくてもよい。
【００３１】
本発明は、第１のゾーンの裏側表面および／もしくは第２のゾーンの裏側表面が本質的に平坦である、パッドの実施形態をさらに提供する。好ましくは、第１のゾーンの裏側表面および第２のゾーンの裏側表面の双方、より詳細にはパッド全体の裏側表面が、幾分平坦に作られる。言い換えれば、この裏側表面は、裏側表面が平面上に平坦に置かれるのを妨げうる、実質的な突出部を有していない。しかしながら、本発明による代替的実施形態では、第１のゾーンの裏側表面は、特に前述したような、突起要素のパターンを備えている。この構造は、第１のゾーンの前側表面も、好ましくは波状隆起部の形の、このような突起要素のパターンを備えている場合に、特に好ましい。
【００３２】
第２のゾーンは先細となるが、前述のように、第１のゾーンは、特定の方向に著しい先細効果を呈しないのが好ましい。好ましくは、第１のゾーンは、均一な平均厚さを示す。例えば、平坦な面に置かれた場合、支持面から最も離れている第１のゾーンの前側表面の部分が、本質的には、その支持面から同じ距離を有する必要がある。本発明によるかかとのパッドではかかとから足指の方向に、また指小球領域パッドでは足指からかかとの方向に、先細となっている、第２のゾーンは、特に第２のゾーンが第１のゾーンに接するパッドの部分において、第１のゾーンの厚さに本質的に同一である、第２のゾーンの最も厚い部分の厚さを有するのが好ましい。第１のゾーンの平均厚さは、１〜４ｍｍ、特に１．５〜３ｍｍの範囲内であるのが好ましい。
【００３３】
本発明は、パッドであって、第１のゾーンの外側部分が第１のゾーンの内側部分よりも、Ｘ寸法においてかかと方向に、より一層延びており、かつ／または第２のゾーンの内側部分が第２のゾーンの外側部分よりも、Ｘ寸法において足指方向に、より一層延びている、パッドをさらに提供する。興味深いことに、特に指小球領域に用いられるように構成されたパッドについて、足指からかかとの方向に内側部分よりもより一層延びるのが第１のゾーンの外側部分である場合、より快適な着用、およびはるかに増大された安定化効果が観察されることが分かっている。すなわち、第１のゾーンのより大きな支持エリアが設けられているのは小指の指小球領域であるが、この指小球領域は、最も小さい指小球領域である。前述のパッドの外側部分もしくは外側区域、また、第１のゾーンの外側部分もしくは外側区域は、パッドの外側要素（outside part）に向かって、かつ／もしくは外側要素に位置する、パッドもしくは第１のゾーンの領域として画定されうる。外側（Outside）とは、パッドが靴の中に置かれると第１のゾーンもしくはパッドの外側部分が靴の外側要素の方を向くか、もしくは外側要素に隣接することを意味している。同じことが、第１のゾーンの内側部分にも逆に当てはまる。外側部分は、例えば、足指からかかとの方向に（Ｘ寸法において）長さ方向の中軸によりパッドを分割することによって得られるエリアに、外側から内側の方向で（Ｙ寸法において）広がることができる。外側部分は、あらゆる幾何学的形態で、例えば階段のように、もしくは連続的に曲がるように、足指からかかとの方向に延びることができ、連続的に曲がることのほうが好ましい。例えば、指小球領域用のパッドの外側部分は、例えば足指からかかとの方向（Ｘ寸法）において第１のゾーンの内側部分の長さの５〜５０％の範囲内、好ましくは１０〜３０％の範囲内の長さで、足指からかかとの方向に延びることができる。
【００３４】
さらに、本発明のパッド、特に指小球領域用のパッドが、少なくとも１つの隆起部であって、着用者の足の足指の方を向いている第１の側壁、および着用者の足のかかとの方を向いている、隆起部の頂点に隣接する第２の側壁を有し、第１の側壁の平均勾配が隆起部の第２の側壁の平均勾配よりも小さい、少なくとも１つの隆起部を備えていると有利であることが分かっている。このパッドの実施形態について、特に高められたマッサージ効果が観察されている。第１の側壁の最大長さは、例えば０．３〜１５ｍｍの範囲内、特に２〜１０ｍｍの範囲内であってよい。第２の側壁の好適な長さは、０．５〜４ｍｍ、特に０．５〜２ｍｍの範囲内である。一実施形態では、第２の側壁は、パッドが平坦な水平面に置かれると、本質的に垂直な向きを有する。
【００３５】
通常、隣接する隆起部の波状パターンは、随意に、第１のゾーンの前側表面に与えられうる。Ｙ寸法に沿って内側から外側に方向付けられた波状隆起部を有するのが好ましいことが分かっている。Ｘ‐Ｙ平面において隆起部のこの波状パターンを、例えば約９０°もしくは１８０°、または任意の他の角度で回転させることも可能である。この波状パターンを１８０°にわたって回すことにより、前述した好適な実施形態における第１の側壁は、かかとの方を向き、隆起部の第２の側壁は、足指の方を向く。
【００３６】
第１および第２のゾーン、特に、例えばリムも含む、パッド全体は、１つの部品に作られるのが好ましい。このことは、例えば、射出成形により達成されうる。第１および第２のゾーンは、エラストマー材料で作られるのに対して、リムは、熱可塑性材料もしくはエラストマー材料のいずれかで構成されうる。リムもまた、エラストマー材料で作られるのが好ましい。第１および第２のゾーン、ならびにリムに使用されうる好適なエラストマー材料は、天然ゴムもしくは合成ゴム、または熱可塑性エラストマー（ＴＰＥ）である。
【００３７】
適切な合成のエラストマーポリマー材料は、例えば、共役ジエン、例えばイソプレン、ブタジエン、もしくはクロロブタジエンから作られたポリマー、ならびに、共役ジエンおよびビニル誘導体、例えばスチレンおよびアクリロニトリルなどから作られたコポリマー材料から作られたポリマーを含む。例示的には、適切な合成ゴム材料は、イソプレンゴム、ブタジエンゴム、クロロプレンゴム、スチレンブタジエンゴム（ＳＢＲ）、ニトリロ‐ブタジエンゴム（nitrilo-butadiene rubber）（ＮＢＲ）、また、水素化形態において、エチレン‐プロピレン‐（ジエン）ゴム（ＥＰＭ、ＥＰＢＭ）、エチレン酢酸ビニルゴム、液体シリコーンゴムも含むシリコーンゴム、を含む。
【００３８】
適切な液体シリコーンは、通常、ポリオルガノシロキサンをベースとしている。これらのポリマーは、Ｓｉ原子の自由原子価（free valances）が、水素、もしくは有機基、例えばメチル、フェニル、ビニルを使用することにより、またはヒドロキシル基を使用することにより、飽和する、シロキサン鎖（−Ｓｉ−Ｏ−Ｓｉ−Ｏ）を備えている。一般的に、液体シリコーンは、約１，０００の反復単位を含むことができる。対照的に、固体のシリコーンゴムは、約６，０００〜１０，０００の反復単位を含む。遷移金属で触媒作用を受けるヒドロシリル化（transition metal catalyzed hydrosilylation）により、シラン基（Ｓｉ−Ｈ）とビニル基との間で加硫反応が通常起こる。液体シリコーンは、通常、一方では低粘度を有するビニルポリシロキサン（vinylpolysiloxanes）を、他方では水素で官能基化されたポリシロキサンもしくはシラン（hydrogen functionalized polysiloxanes or silanes）を、含む、二成分混合物をベースにしている。適切な触媒は、貴金属、特にプラチナをベースとしている。一般的に、必要な触媒の量は、ｐｐｍの範囲内である。通常はいかなる副生物ももたらさない付加反応により、ビニル基で官能基化されたポリシロキサンが、水素で官能基化されたシロキサンに結合する。好ましくは、二成分系では、既に触媒を含むのは、ビニル基で官能基化されたポリシロキサンである。特に適切な、水素で官能基化されたシロキサンもしくはシランは、１分子中に少なくとも３つのＳｉＨ基を含むのが好ましい、メチル水素シロキサン（methyl hydrogen siloxane）を含む。適切な液体シリコーンもしくはそれらのそれぞれの二成分系は、当業者には周知であり、また、例えば、Siloprene（登録商標）LSRの商品名でGE Bayer Siliconesから、もしくはElastosil（登録商標）LRの商品名でWacker Chemie社から、購入可能である。
【００３９】
加硫速度は、触媒濃度により、かつ／もしくは抑制剤を添加することにより、制御されうる。適切な抑制剤は、高級アルコール、例えばｎ‐ブタノール、ｎ‐ペンタノール、ｎ‐ヘキサノール、および、好ましくは、１‐エチニル‐１‐シクロヘキサノールを含む。
【００４０】
液体シリコーンを射出成形するための適切な射出成形機は、当業者に知られており、また、例えば、ドイツ特許公開第４０１４２４４  Ａ１号、同第１０１４５１６０  Ａ１号、もしくは同第１０３０２７  Ａ１号から得ることができる。加硫温度は、通常１３０〜２３０℃の範囲内、特に１４０〜２２０℃の範囲内、最も好ましくは１４５〜１７０℃である。
【００４１】
適切なエラストマー材料は、熱可塑性エラストマーも含む。
【００４２】
これらの熱可塑性エラストマーは、通常、本質的には互いに不適合である熱可塑性配列およびエラストマー配列（thermoplastic sequences and elastomeric sequences）を有するグラフトポリマーおよびコポリマーを表している。軟質のエラストマー配列は、通常、周辺温度より低いガラス転移温度を有するのに対して、より硬質の熱可塑性配列は、周辺温度よりも高いガラス転移温度を一様に（regularly）有する。熱可塑性エラストマーは、例えば、アミドエラストマー、コポリエステルエラストマー、ポリオレフィンエラストマー、ポリスチレンエラストマー、およびポリウレタンエラストマーを含む。熱可塑性ポリアミドエラストマーは、通常、硬質のポリアミド配列および軟質のポリエーテルおよび／もしくはポリエステル配列を有するブロックコポリマーで作られる。熱可塑性コポリエステルエラストマーは、通常、ポリアルキレンエーテルジオール配列（および／もしくは長鎖脂肪族二炭酸エステル（long chained aliphatic dicarbonic esters））、ならびに部分的に結晶性のポリブチレンテレフタラート（polybutulene terephthalate）の配列をベースとしている。適切なポリオレフィンエラストマーは、概して、アイソタクチックのポリプロピレンおよびエチレン‐プロピレンゴムの混合物をベースとしている。熱可塑性ポリスチレンエラストマー（ＴＰＳ）は、通常、アニオン重合により調製され、一方ではスチレン、他方ではブタジエンから、作られる配列を含む（ＳＢ、ＳＢＳ）。熱可塑性ポリウレタンエラストマーは、通常、１，４‐ブタンジオール、１，６ヘキサンジオール、ポリエーテルジオール、ポリエステルジオール、もしくはポリカーボネートジオールなどの長鎖ジオールの、ＨＤＩもしくはＩＰＤＩなどの脂肪族ジイソシアン酸エステルとの重付加反応により作られる。前述のエラストマー材料、ならびにそれらの調合物は、当業者には既知である。
【００４３】
第１および第２のゾーン、特に第１のゾーンに用いられる材料は、幾分軟質で滑らない。パッド、特に第１のゾーンのショアＡ硬度は、好ましくは２〜１５、特に３〜１０、最も好ましくは５〜９の範囲内である（ＷＳＴＭ  １１１０による）。
【００４４】
さらなる実施形態では、前述したようなパッドは、特に第１のゾーンにおいて、孔のパターンを含むこともできる。例えば２個、３個、４個、５個、６個、もしくはそれより多い、これらの孔は、第１のゾーンもしくはパッド全体にわたって規則的もしくは不規則なパターンに配列されてよい。一実施形態では、孔は、特に平行な、列で配列される。これらの列は、足指からかかとの方向に方向付けられるのが好ましい。有利なことに、これらの孔は、０．５〜３ｍｍの範囲の直径を有する。これらの孔は、足裏からの汗を靴の中底に導くことを適切に可能にするのに役立つ。最も好適な実施形態では、少なくとも２つの孔が、隆起部の波の谷の領域に位置している。
【００４５】
指小球領域用のパッドの第１のゾーンが、Ｘ寸法においてかかとから足指の方向で第２のゾーンの前に位置する要件は別として、第１および第２のゾーンの相対的な配列は、大いに変更されてよい。かかと領域用のパッドでは、この順番は逆にされる。これらのパッドは、対称的に、もしくは非対称的に成形されてよい。一実施形態では、第２のゾーンは、足指からかかとの方向にＹ軸上で非対称的に先細となっている。
【００４６】
本発明の根底にある目的は、本発明による足の指小球領域用のパッド、および／もしくは本発明によるかかと領域用のパッドを含む、中底によっても解決される。これらの中底は、有利には、例えば２Ｋ射出成形技術を使用することにより、１つの部品に作られる。例えば、パッドがエラストマー材料で作られるのに対して、パッドが埋め込まれる中底の残りの部分は、熱可塑性材料もしくは発泡材料で作られる。
【００４７】
本発明の別の態様によると、本発明による、足の指小球領域を支えるように構成されたパッド、および／もしくは本発明による、足のかかと領域を支えるパッドを含む、靴が提供される。本発明のパッドもしくは中底を大いに活用する靴は、例えば、ハイヒールの靴、および登山靴、特にフリークライマーにより用いられる登山靴である。
【００４８】
本発明によるパッドの寸法は、大いに変更されてよい。指小球領域用のパッドに関して、（Ｙ寸法において外側から内側に計測される）３０〜８０ｍｍ、特に６３〜７３ｍｍの幅、および（Ｘ寸法においてかかとから足指の方向の)４０〜９５ｍｍ、特に６０〜９０ｍｍの範囲の長さを利用することが有利であることが分かっている。かかと領域用のパッドに関して、４５〜６５ｍｍ、特に５０〜６０ｍｍの範囲の幅、および４５〜７５ｍｍ、特に５０〜７０ｍｍの範囲の長さを有することが好ましいことが分かっている。
【００４９】
第１のゾーンの最大厚さは、好ましくは、１〜１０ｍｍ、特に１．５〜８ｍｍ、より好ましくは１．７５〜５ｍｍの範囲内である。突起要素、特に隆起部の、基部から頂点までの高さは、好ましくは、０．７５ｍｍより高い、例えば０．７５〜４ｍｍの範囲、特に１ｍｍより高い、例えば１〜３．５ｍｍ、最も好ましくは１．２５ｍｍより高い、例えば１．２５〜２ｍｍである。この高さは、１．５ｍｍもしくは２．０ｍｍより高くてもよい。
【００５０】
本発明によるパッドは、乾燥状態および湿潤状態の双方において、非常に弱い耐摩耗性（ＥＮ  １３５１６による）を示す。例えば、パッドから取られた円形の試験片が、リサジューの図形の形の周期的な平面運動により磨耗を生じる（abradant）場合、乾燥状態で約２５，０００サイクル、また湿潤状態下で約１２，５００サイクルでも、孔がまったく観察されない。さらに、本発明のパッドは、非常に良好な引き裂き強度（ＥＮ  １３５７１による）を有する。本発明によるパッドの別の本質的な利益は、それらの顕著な耐洗濯性（ＩＳＯ  １０５  Ｃ０６およびＥＮ  ＩＳＯ  ２５０７７による）から生じる。従来の洗濯機における９０℃での５回の洗濯サイクルの後でも、本発明のパッドでは、色の変化、染色、および寸法の変化がまったく見られない。加えて、例えば１Ｈｚに等しい振動数で６０ｋｇの荷重まで５０，０００回プレスされた場合に、本発明のパッドでは、本質的にいかなる機械的老化も見られない。衛生的な快適さの点から、本発明によるパッドは、幾分低い流体吸収、すなわち幾分低い水分吸収、および１００％の水脱離（water desorption）を示すにすぎないことが有利であると分かっている。これらの結果は、いわゆるパーメオメオター（permeometer）Ballyに置かれた試験片により得ることができる。１分当たり、１０ｃｍ３の水が試験片に到達し、この試験片は、異なる着用強度（different strength of wear）を再現するために繰り返し収縮され、かつプレスされる（８０Ｎ）。この処置は、試験片が水浸しになったら停止される。表面単位当たりで吸収される水の最大量は、好ましくは約０．８ｍｇ／ｃｍ３ではなく、より好ましくは約０．５ｍｇ／ｃｍ３ではない。脱離能力を判定するために、前述した試験片は、空気調節したエリア（conditioning area）（２３℃、相対湿度５０％）に１６時間保持され、試験片の重量差により、脱離が示され、また、この重量差は％で表されてよい。パッドが５０ｍｍの直径のシリンダーで４００Ｎまで圧縮され、その後弛緩される場合、本発明によるパッドの老化は、（ＣＴＣ  Ｐ０４に従って）エネルギーの戻り（energy return）を計測することによっても判定されうる。この試験は、２０ｍｍ／分の速度で動力計において実行されうる。得られた結果は、％で表される全体のエネルギーに対する粘弾性エネルギー（visco-elastic energy）の比率を表す。本発明によるパッドでは、この値は、一様に６０%よりも大きいが、特に８０％よりも大きい。さらに、本発明によるパッドは、十分な摩擦係数（ＣＴＣ  Ｐ１７による）を有する。ここで、試験片は、スチールプレート上に置かれ、５ｋｇの塊（mass of 5 kg）で処理される。動力計で１００ｍｍ／分の速度率で試験片を引っ張ることにより、乾燥および湿潤状態下の双方で、摩擦力が判定されうる。本発明によるパッドでは、５を超える摩擦係数値、特に乾燥状態下では６を超える、そして湿潤状態下では約５ｄａＮの摩擦係数値が確実に得られる。
【００５１】
本発明に関して、驚いたことに、指小球領域用のパッドおよびかかと領域用のパッドの双方により与えられる快適さおよび保護は、一方が先細となる２つの別個のゾーンを有し、かつ／もしくは、少なくとも一方が、靴の着用者の足をマッサージするように構成された、特に波状の、隆起部などの突起要素を示す、２つの別個のゾーンを有することにより、著しく増大されうることが分かった。この２つのゾーンは双方がエラストマー材料で構成されている。さらに、本発明のパッドについて、中底の中に組み込まれた場合もまた、依然として着用に対して配慮している（discreet to wear）ことにより、十分な緩衝効果が得られうる。さらに、本発明のパッドは、確実に靴の中で所定の場所にとどまり、数回の機械洗濯サイクルの後であっても長い間、再利用されうる。特に、ハイヒールの靴について、着用者は、圧力、または筋肉の緊張（tensioning）もしくは硬化をもはや経験しなくなる。対照的に、本発明によるパッド、特に指小球領域用のパッドもしくは前述したパッド双方の組み合わせ（指小球領域＋かかと）がハイヒールの靴の中に置かれた場合、そのハイヒールの靴を着用すると幾分リラックスすることすら分かっている。特に指小球領域用のパッドについて、着用者は、非常に不連続な形で（in a very discrete manner）抜けるリスクをもはや経験しなくなる。
【００５２】
さらに、本発明の特徴および利点は、本発明によるパッドの好適で非排他的な実施形態の詳細な説明から、より明らかとなるであろう。これらの実施形態は、添付の図面と共に非限定的な例として説明される。
【００５３】
図面を詳しく参照して、様々な履物のタイプのために設計された、本発明によるパッドを説明する。図１に描かれたパッド１は、一対の靴の右側の靴と共に使用されるように構成されている。好適な実施形態では、パッド１の面対称の物体（mirror image）が、一対の靴の左側の靴に用いられることができる。本発明によるパッドの好適な実施形態であるパッド１は、液体シリコーンゴム（liquid silicon rubber）を射出成形することにより全体が作られている。パッド１は、半透明であり、５〜１０の範囲、例えば約７のショアＡ硬度（ＷＳＴＭ  １１１０による）、１〜５ＭＰａ、特に１．５〜４ＭＰａの範囲、例えば１．９２ＭＰａの引張強度（ＷＳＴＭ  １１６０)、および、４００％〜１０００％の範囲、例えば約４６０％もしくは８００％の破損時の伸び（ＷＳＴＭ  １１６０による）を有する。パッド１は、Ｘ寸法において足指方向に向かって位置する第１のゾーン３、およびＸ寸法においてかかと方向に向かって位置する第２のゾーン５を備えており、周辺リム１５を有する。リムも液体シリコーンゴム（liquid silicon rubber）で作られる。図１のパッド１は、１つの材料から１つの部品に作られている。図１は、着用者の足と接触する、パッド１の前側表面３３を描いている。パッド１の前側３３’の第１のゾーン３は、本質的に均一に分配された波状隆起部７のパターンを示す。隆起部７は、Ｘ寸法において足指の方に向けられている、幾分低い傾斜部（第１の側壁）を備えた延出領域１７、および、領域１９であって、幾分大きな傾斜部(第２の側壁)を有し、ゆえにはるかに小さい、すなわち領域１７よりも前側３３のより小さな表面に広がっている、領域１９を有する。第１の隆起部７の大きな傾斜領域１９、および隣接する隆起部７の低い傾斜領域１７は、２つの隆起部間の湾曲した谷状境界線２１において接する。これは、波状に湾曲した隆起部と同様である。
【００５４】
第１のゾーン３は、軸Ａ‐Ａ（もしくはＸ軸）の左側に実質的に位置している内側部分２３、および軸Ａ‐Ａの右側に実質的に位置している外側部分２５を有し、これらの部分は、それらの異なる形状のために、非対称の第１のゾーンをもたらす。軸Ａ‐Ａは、Ｘ寸法に平行である。図１に描かれるようなパッド１の好適な実施形態では、第１のゾーン３の外側部分２５は、足指からかかとの方向に、パッド１の内側部分２３よりも著しく延びている。第２のゾーン５は、対応するように設計されている、すなわち、第２のゾーン５の内側部分２７は、かかとから足指の方向に、第２のゾーン５の外側部分２９よりも大きく延びている。この構成は、足の前方の指小球領域を適切に支えるのに最も適している。したがって、第１のゾーンと第２のゾーンとの間の境目１１は湾曲している。第２のゾーン５の前側表面３３”は、いかなる突起要素も示しておらず、ゆえに平坦である。図１に描かれるようなパッド１の実施形態は、第１のゾーン３に多数の孔１３を備えている。これらの孔１３は、好ましくは、隆起部７の波の谷領域３１に位置し、約２ｍｍの直径を有する。パッド１の裏側表面３５は、平坦であり、いかなる靴の底にも容易に適応することができる。
【００５５】
図２では、図１によるパッド１の概略上面図を見ることができる。Ｙ寸法におけるパッド１の最大幅は、６１〜７０ｍｍの範囲内である。Ｘ方向におけるパッド１の最大長さは、８３〜８５ｍｍの範囲内である。図２は、隣接する隆起部間の境界線２１が、幾分延出した低い傾斜領域１７のために、幾分小さいことを確実としている。
【００５６】
図３は、図１の軸Ａ‐Ａに沿ったパッド１の断面図を描いている。明らかに、第１のゾーン３は、幾分均一な厚さを有する。しかしながら、パッド１の厚さは、Ｘ寸法において足指からかかとの方向に見ると、第２のゾーン５において連続的に減少している。図３による断面図は、リム１５もその縁に向かって先細となるが、丸みを帯びたデザインを活用していることも示している。
【００５７】
図２の軸Ｂ‐Ｂに沿った断面図である図４は、図３と同様に、パッド１の裏側表面３５が平坦であること、および第２のゾーン５の前側表面３３”が平坦な構成を有することを示している。
【００５８】
図５では、右足の指小球領域を支えるように構成された、本発明によるパッド１の別の実施形態の概略上面図が描かれている。図１に示されたような実施形態に対する唯一の違いは、第２のゾーン５がもはや（Ｙ寸法において）第１のゾーン３の全幅にわたって延びていないことである。この場合、第２のゾーン５は、本質的に、図１のパッドの外側部分２９と指定された部分に沿って延びるにすぎない。したがって、リム１５は、Ｘ寸法に沿って足指からかかとの方向に見た場合、図５のパッドの第１のゾーン３の後部の一部に隣接している。図１のパッドと同様に、図５に示される実施形態でも、第１のゾーン３の外側部分２５は、Ｘ寸法に沿って足指からかかとの方向に、パッド１の第１のゾーン３の内側部分２３よりも大きく延びている。第２のゾーン５は、依然として、非常に不連続な着用感覚（very discrete wearing sensation）を与え、また、パッド１を靴の内側に置くこと、およびそのパッドを靴から除去することをも助ける。
【００５９】
図６は、着用者の足のかかと領域の下に置かれるように構成された、本発明によるパッド１を表している。かかと領域用のこのパッドもまた、第１のゾーン３、および第２のゾーン５を含む。第１のゾーン３は、描かれた好適な実施形態では、円形状を有しており、靴の中に置かれると、Ｘ寸法に沿って足指からかかとの方向に、第２のゾーン５よりも足の後部に向かって位置している。例えば図１のパッド１について前述されたような、この第１のゾーン３は、隣接する隆起部７のパターン、および孔１３のパターンを備えており、孔１３は、本質的に平行な列に配列されており、これらの列はそれ自体、パッド１の長さ方向軸に本質的に平行である。第１のゾーン３は、本質的に均一の厚さを有する。第２のゾーン５は、Ｚ寸法においてＸ軸に沿ってかかとから足指の方向に先細になる。言い換えれば、第２のゾーン５は、第１のゾーン３から離れるほど薄くなる。図６によるかかと領域用のパッドでは、リムが本質的に後部の周りに設けられている。図６によるパッド１は、エラストマー材料で全体が作られている。
【００６０】
図７は、隆起部７ならびに孔１３を示している、パッド１の第１のゾーン３の一部を描いている。孔１３は、波の谷３１の領域に位置する。図７は、波の形をした隆起部７であって、その頂点の片側に幾分緩やかな傾斜部を備えた第１の側壁１７、および幾分大きな傾斜部を備えた、隣接する第２の側壁１９を有する、隆起部７を明確に示している。第１の側壁１７は、幾分大きな表面に広がっているが、第２の側壁１９は、寸法が幾分小さい。第１の隆起部７の第１の側壁１７は、隣接する隆起部７の第２の側壁１９と共通の境界を有する。孔１３は、着用者の足からの汗を靴の中底へ導くのに役立つ。好適な実施形態では、第１の側壁１７は、かかとから足指の方向に向いているのに対して、第２の側壁は、足指からかかとの方向を向いている。
【００６１】
図８は、孔３１なしの、パッド１の第１のゾーン３の一部の実施形態を示す。隣接する隆起部の側壁間の移行要素４５は別として、他の詳細はすべて、図７に示される実施形態と本質的に同一である。この移行要素４５は、よりいっそう不連続な着用を可能にするものである。
【００６２】
パッドが、添付の図面を特に参照して説明されたが、開示内容および特許請求の範囲で言及される符号は、本発明のよりよい理解度のために用いられたにすぎず、いかなる方法によっても特許請求の範囲を限定するよう意図されているものではない。
【００６３】
〔実施の態様〕
（１）  靴の中で前記靴の着用者の足の下に置かれるように構成された、人の足の指小球領域用のパッド（１）であって、かかとから足指の方向（Ｘ軸）の寸法、外側から内側の方向（Ｙ軸）の寸法、および下から上の方向（Ｚ軸）の寸法を有し、かつ前側表面（３３）、および裏側表面（３５）を含む、パッド（１）において、
前記パッド（１）は、少なくとも２つの異なるゾーン、すなわち前記Ｘ軸上で足指方向に向かって位置しており、少なくとも３本の隣接する足指、特に人の足の５本の足指すべて、に関連する前記指小球領域を支えるように構成された、少なくとも１つの第１のゾーン（３）、および前記Ｘ軸上でかかと方向に向かって位置する、前記第１のゾーン（３）に隣接した少なくとも１つの第２のゾーン（５）を含み、
前記第１のゾーン（３）は、前記第２のゾーン（５）の平均厚さよりも大きな平均厚さを有し、
前記第２のゾーン（５）は、Ｚ寸法において足指からかかとの方向に先細となっており、
前記第１および第２のゾーン（３、５）は、エラストマー材料を含む、パッド。
（２）  靴の中で前記靴の着用者の足の下に置かれるように構成された、人の足の指小球領域用のパッド（１）であって、かかとから足指の方向（Ｘ軸）の寸法、外側から内側の方向（Ｙ軸）の寸法、および下から上の方向（Ｚ軸）の寸法を有し、かつ前側表面（３３）、および裏側表面（３５）を含む、パッド（１）において、
前記パッド（１）は、少なくとも２つの異なるゾーン、すなわち前記Ｘ軸上で足指方向に向かって位置しており、少なくとも３本の隣接する足指、特に人の足の５本の足指すべて、に関連する前記指小球領域を支えるように構成された、少なくとも１つの第１のゾーン（３）、および前記Ｘ軸上でかかと方向に向かって位置する、少なくとも１つの第２のゾーン（５）を含み、
前記第１のゾーン（３）の前記前側表面（３３）は、前記着用者の前記足をマッサージするように構成された突起要素（７）のパターンを示し、
前記第１および第２のゾーン（３、５）は、エラストマー材料を含む、パッド。
（３）  靴の中で前記靴の着用者の足の下に置かれるように構成された、人の足の指小球領域用のパッド（１）であって、かかとから足指の方向（Ｘ軸）の寸法、外側から内側の方向（Ｙ軸）の寸法、および下から上の方向（Ｚ軸）の寸法を有し、かつ前側表面（３３）、および裏側表面（３５）を含む、パッド（１）において、
前記パッド（１）は、少なくとも２つの異なるゾーン、すなわち前記Ｘ軸上で足指方向に向かって位置しており、少なくとも３本の隣接する足指、特に人の足の５本の足指すべて、に関連する前記指小球領域を支えるように構成された、少なくとも１つの第１のゾーン（３）、および前記Ｘ軸上でかかと方向に向かって位置する、少なくとも１つの隣接する第２のゾーン（５）を含み、
前記第１のゾーン（３）は、前記第２のゾーン（５）の平均厚さよりも大きな平均厚さを有し、
前記第２のゾーン（５）は、Ｚ寸法において足指からかかとの方向に先細となり、
前記第１のゾーン（３）の前記前側表面（３３）は、前記着用者の前記足をマッサージするように構成された突起要素（７）のパターンを示し、
前記第１および第２のゾーン（３、５）は、エラストマー材料を含む、パッド。
（４）  靴の中で前記靴の着用者の足の下に置かれるように構成された、人の足のかかと領域用のパッド（１）であって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッド（１）において、
前記パッドは、少なくとも２つの異なるゾーン、すなわち前記Ｘ軸上でかかと方向に向かって位置しており、人の足の前記かかと領域を支えるように構成された、少なくとも１つの第１のゾーン、および前記Ｘ軸上で足指方向に向かって位置する、少なくとも１つの隣接する第２のゾーンを含み、
前記第１のゾーンの前記前側表面は、前記着用者の前記足をマッサージするように構成された突起要素のパターンを示し、
前記第１および第２のゾーンは、エラストマー材料を含む、パッド。
（５）  靴の中で前記靴の着用者の足の下に置かれるように構成された、人の足のかかと領域用のパッドであって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッドにおいて、
前記パッドは、少なくとも２つの異なるゾーン、すなわち前記Ｘ軸上でかかと方向に向かって位置しており、人の足の前記かかと領域を支えるように構成された、少なくとも１つの第１のゾーン、および前記Ｘ軸上で足指方向に向かって位置する、少なくとも１つの隣接する第２のゾーンを含み、
前記第１のゾーンは、前記第２のゾーンの平均厚さよりも大きな平均厚さを有し、
前記第２のゾーンは、Ｚ寸法においてかかとから足指の方向に先細となり、
前記第１および第２のゾーンは、エラストマー材料を含む、パッド。
【００６４】
（６）  靴の中で前記靴の着用者の足の下に置かれるように構成された、人の足のかかと領域用のパッドであって、かかとから足指の方向（Ｘ軸）の寸法、外側から内側の方向（Ｙ軸）の寸法、および下から上の方向（Ｚ軸）の寸法を有し、かつ前側表面、および裏側表面を含む、パッドにおいて、
前記パッドは、少なくとも２つの異なるゾーン、すなわち前記Ｘ軸上でかかと方向に向かって位置しており、人の足の前記かかと領域を支えるように構成された、少なくとも１つの第１のゾーン、および前記Ｘ軸上で足指方向に向かって位置する、少なくとも１つの隣接する第２のゾーンを含み、
前記第１のゾーンは、前記第２のゾーンの平均厚さよりも大きな平均厚さを有し、
前記第２のゾーンは、Ｚ寸法においてかかとから足指の方向に先細となり、
前記第１のゾーンの前記前側表面は、前記着用者の前記足をマッサージするように構成された突起要素のパターンを示し、
前記第１および第２のゾーンは、エラストマー材料を含む、パッド。
（７）  実施態様１〜６のいずれかに記載のパッド（１）において、
前記突起要素のパターンは、多数の隣接する隆起部（７）を含む、パッド。
（８）  実施態様７に記載のパッド（１）において、
少なくとも２つの隣接する隆起部（７）が、特に前記Ｙ軸に沿って内側から外側に方向付けられた、波状の形態をＸ‐Ｙ平面において有する、パッド。
（９）  実施態様７または８に記載のパッド（１）において、
本質的にすべての隆起部（７）が、均一に、特に本質的に平行に、方向付けられている、パッド。
（１０）  実施態様７〜９のいずれかに記載のパッド（１）において、
少なくとも１つの波状隆起部（７）、特に隣接する２つの波状隆起部（７）が、隣接する３つの波の谷（３１）を示す、パッド。
【００６５】
（１１）  実施態様１〜１０のいずれかに記載のパッド（１）において、
前記パッドは、前記第１のゾーン（３）、および前記第２のゾーン（５）から本質的に成る、パッド。
（１２）  実施態様１〜１１のいずれかに記載のパッド（１）において、
前記前記第１のゾーン（３）の裏側表面（３５’）、および／もしくは前記第２のゾーンの裏側表面（３５”）は、本質的に平坦である、パッド。
（１３）  実施態様１〜１２のいずれかに記載のパッド（１）において、
前記第２のゾーン（５）の前側表面（３３”）は、本質的に平坦である、パッド。
（１４）  実施態様１〜１３のいずれかに記載のパッド（１）において、
前記第１および第２のゾーン（３、５）、特に前記パッド（１）は、１つの部品に作られる、パッド。
（１５）  実施態様１〜１４のいずれかに記載のパッド（１）において、
前記第１のゾーン（３）の前記裏側表面（３５’）は、突起要素（７）のパターンを備えている、パッド。
【００６６】
（１６）  実施態様１〜１５のいずれかに記載のパッド（１）において、
前記第１のゾーン（３）は、均一な平均厚さを示す、パッド。
（１７）  実施態様１〜１６のいずれかに記載のパッド（１）において、
特に周辺の、リム部分（１５）、
をさらに含む、パッド。
（１８）  実施態様１７に記載のパッド（１）において、
前記リム（１５）は、熱可塑性材料、もしくはエラストマー材料を含む、パッド。
（１９）  実施態様１７または１８に記載のパッド（１）において、
前記リム（１５）は、その周縁（３７）に向かって先細となっている、パッド。
（２０）  実施態様１〜１９のいずれかに記載のパッド（１）において、
前記エラストマー材料は、天然ゴム、もしくは合成ゴム、または熱可塑性エラストマー（ＴＰＥ）である、パッド。
【００６７】
（２１）  実施態様１〜２０のいずれかに記載のパッド（１）において、
特に前記第１のゾーン（３）において、孔（１３）のパターン、
をさらに含む、パッド。
（２２）  実施態様２１に記載のパッド（１）において、
前記孔（１３）は、０．５〜３．０ｍｍの範囲の直径を有する、パッド。
（２３）  実施態様２１または２２に記載のパッド（１）において、
少なくとも２つの孔（１３）が、隆起部（７）の波の谷（３１）の領域に位置する、パッド。
（２４）  実施態様１〜２３のいずれかに記載のパッド（１）において、
前記第２のゾーン（５）は、前記Ｙ軸上で前記足指からかかとの方向に非対称的に先細となっている、パッド。
（２５）  実施態様１〜２４のいずれかに記載のパッド（１）において、
前記第１のゾーン（３）の外側部分（２３）は、前記第１のゾーン（３）の内側部分（２５）よりも、Ｘ寸法において前記かかと方向に、より延びており、かつ／または、
前記第２のゾーン（５）の内側部分（２７）は、前記第２のゾーン（５）の外側部分（２９）よりも、前記Ｘ寸法において前記足指方向に、より延びている、パッド。
【００６８】
（２６）  実施態様１〜２５のいずれかに記載のパッド（１）において、
少なくとも１つの隆起部（７）が、着用者の前記足の前記足指の方を向いている第１の側壁、および着用者の前記足の前記かかとの方を向いている、前記隆起部（７）の頂点に隣接する第２の側壁を有し、
前記第１の側壁の平均勾配は、前記隆起部の前記第２の側壁の平均勾配よりも小さい、パッド。
（２７）  中底において、
実施態様１〜３、および実施態様１〜３のいずれかを参照する実施態様７〜２６の範囲で実施態様７〜２６、に記載のパッド、ならびに／または、
実施態様４〜６、および実施態様４〜６のいずれかを参照する実施態様７〜２６の範囲で実施態様７〜２６、に記載のパッド、
を含む、中底。
（２８）  実施態様２７に記載の中底において、
前記中底は、１つの部品に作られる、中底。
（２９）  実施態様２７または２８に記載の中底を製造する方法において、
２Ｋ射出成形プロセスにより前記中底を準備するステップ、
を含む、方法。
（３０）  靴において、
実施態様１〜３、および実施態様１〜３を参照する範囲で実施態様７〜２６、に記載のパッド、ならびに／または、
実施態様４〜６、および実施態様４〜６を参照する範囲で実施態様７〜２６、に記載のパッド、または、
実施態様２７もしくは２８に記載の中底、
を含む、靴。
【００６９】
（３１）  実施態様３０に記載の靴において、
前記靴は、ハイヒールの靴、または登山靴である、靴。
（３２）  パッドを使用することにおいて、
靴の中に置くための、実施態様１〜２６のいずれかに記載のパッドを使用すること。
（３３）  パッドを使用することにおいて、
ハイヒールの靴、もしくは登山靴に、実施態様１〜２６のいずれかに記載のパッドを使用すること。
（３４）  パッドを使用することにおいて、
中底もしくは靴を準備するために、実施態様１〜２６のいずれかに記載のパッドを使用すること。
【図面の簡単な説明】
【００７０】
【図１】図１は、右足の前部のために使用されるように構成された、本発明によるパッドの斜視図である。
【図２】図２は、図１によるパッドの概略上面図である。
【図３】図３は、軸Ａ‐Ａに沿った、図２によるパッドの断面図である。
【図４】図４は、軸Ｂ‐Ｂに沿った、図２によるパッドの断面図である。
【図５】図５は、右足の前部のために使用されるように構成された、本発明によるパッドの別の実施形態の概略上面図である。
【図６】図６は、足のかかと領域のために使用されるように構成された、本発明によるパッドの概略上面図である。
【図７】図７は、本発明によるパッドの第１のゾーンの部分的な図である。
【図８】図８は、本発明によるパッドの別の部分の図である。
【符号の説明】
【００７１】
〔参照符号リスト〕
１：パッド
３：第１のゾーン
５：第２のゾーン
７：隆起部
９：谷
１１：境目
１３：孔
１５:リム
１７：低い傾斜領域
１９：大きな傾斜領域
２１：境界線
２３：第１のゾーンの外側部分
２５：第１のゾーンの内側部分
２７：第２のゾーンの内側部分
２９：第２のゾーンの外側部分
３１：波の谷領域
３３：パッドの前側表面
３３’：第１のゾーンの前側表面
３５：パッドの裏側表面
３５’：第１のゾーンの裏側表面
３５”：第２のゾーンの裏側表面
３７：リムの縁
４５：隣接する隆起部間の移行要素
【図１】
2009539441.tif 000003
【図２】
2009539441.tif 000004
【図３】
2009539441.tif 000005
【図４】
2009539441.tif 000006
【図５】
2009539441.tif 000007
【図６】
2009539441.tif 000008
【図７】
2009539441.tif 000009
【図８】
2009539441.tif 000010
【国際調査報告】
2009539441.tif 000011
2009539441.tif 000012
2009539441.tif 000013
2009539441.tif 000014
2009539441.tif 000015
2009539441.tif 000016